(57)【要約】【課題】コンクリートの打ち込み型枠の打撃用ハンマーにおいて、その重量を効果的かつ不具合なく大きくできるようにして、その打撃時に型枠に作用される衝撃力を増加させる。【解決手段】柄部分１０と、この柄部分１０の先端部１０ａからこの柄部分１０に対し略直交する向きに延びる分枝部分１１とを備えた金属製のハンマー主体１と、このハンマー主体１の分枝部分１１の先端部に取り外し可能に取り付けられるゴム又はプラスチック製のハンマーヘッド２とを備えている。分枝部分１１によって、このハンマーヘッド２の打撃面２１と柄部分１０との間に、コンクリートの打ち込み型枠Ｗの打撃時にこの型枠Ｗの型外面側に配されるバタパイプＷａなどに柄部分１０を接触させることのない間隔ｘが形成されている。【選択図】図１
2006130571.tif 000002
【特許請求の範囲】
【請求項１】
柄部分と、この柄部分の先端部からこの柄部分に対し略直交する向きに延びる分枝部分とを備えた金属製のハンマー主体と、
このハンマー主体の分枝部分の先端部に取り外し可能に取り付けられるゴム又はプラスチック製のハンマーヘッドとを備えており、
前記分枝部分によって、このハンマーヘッドの打撃面と柄部分との間に、コンクリートの打ち込み型枠の打撃時にこの型枠の型外面側に配されるバタパイプなどに柄部分を接触させることのない間隔が形成されていることを特徴とするコンクリートの打ち込み型枠打撃用ハンマー。
【発明の詳細な説明】
【技術分野】
【０００１】
この発明は、コンクリートの打ち込み型枠内に打ち込まれたコンクリートをこの型枠内に行き渡らせるために、この打ち込みの過程において型枠を外側から叩くために用いられるハンマーの改良に関する。
【背景技術】
【０００２】
木製の柄１００と、この柄１００の先端部に組み付けられてこの柄１００に直交する向きに延びる木製の長い頭部２００とから構成されたコンクリートの打ち込み型枠の打撃用の木槌がある。（図４）かかる木槌は、型枠Ｗ内に打ち込まれたコンクリートＭをこの型枠Ｗ内に行き渡らせるために、この打ち込みの過程において、この型枠Ｗの各所をその型外面側から叩くために用いられている。かかる木槌にあっては、その頭部２００の長さによって、打撃時に型枠Ｗの外面側に配されたバタパイプＷａや桟木ＷｂやフォームタイＷｃなどの型枠構成材にその柄１００が接触しないようになっている。（図３）
【０００３】
しかるに、かかる木槌にあっては、その重量を大きくするのに限界があるため打撃時の衝撃力を大きくし難いものであった。このため、かかる木槌にあっては、型枠Ｗ内にコンクリートＭを行き渡らせるために、型枠Ｗに対する打撃回数を減らし難いものであった。
【０００４】
かかる木槌と同構成の金属製ハンマーを用いるとすると、重量は大きくできるがそれが過大となり過ぎて前記打撃操作が行い難くなってしまうと共に、型枠Ｗを構成する型枠パネルＷｄを打撃時に傷つけてしまうことが考えられる。
【発明の開示】
【発明が解決しようとする課題】
【０００５】
この発明が解決しようとする主たる問題点は、この種のコンクリートの打ち込み型枠の打撃用ハンマーにおいて、その重量を効果的かつ不具合なく大きくできるようにして、その打撃時に型枠に作用される衝撃力を増加させる点にある。
【課題を解決するための手段】
【０００６】
前記問題点を解決するために、この発明にあっては、コンクリートの打ち込み型枠打撃用ハンマーを以下の（１）〜（３）の構成を備えたものとした。
（１）柄部分と、この柄部分の先端部からこの柄部分に対し略直交する向きに延びる分枝部分とを備えた金属製のハンマー主体と、
（２）このハンマー主体の分枝部分の先端部に取り外し可能に取り付けられるゴム又はプラスチック製のハンマーヘッドとを備えており、
（３）前記分枝部分によって、このハンマーヘッドの打撃面と柄部分との間に、コンクリートの打ち込み型枠の打撃時にこの型枠の型外面側に配されるバタパイプなどに柄部分を接触させることのない間隔が形成されている。
【０００７】
型枠の型外面側には、バタパイプや桟木やフォームタイなどが配されるが、かかるハンマーにあっては前記分枝部分によってハンマーヘッドの打撃面と柄部分との間に前記間隔が形成されることから、ハンマーヘッドを型枠の型外面、典型的には型枠パネルの外面に叩きつける打撃操作にあたり柄部分がバタパイプなどに接触することがなく、この叩きつけを円滑に行うことができる。
【０００８】
また、ハンマー主体は金属製であることから、ハンマーの重量を効果的に大きくさせることができ、打撃時の衝撃力を十分に確保することができる。これにより、型枠の打撃回数を木槌の場合に比し減らしても型枠内にコンクリートを行き渡らせることが可能とされる。
【０００９】
その反面、ハンマーヘッド自体はゴム又はプラスチック製であることから、ハンマーを過度に重くすることがないと共に、打撃にあたり型枠を傷つけることがない。また、打撃面が摩耗などした場合には、ハンマーヘッドをハンマー主体から取り外し新規のハンマーヘッドと交換することで所期の状態のハンマーとすることができ、ランニングコストは低廉とされる。
【発明の効果】
【００１０】
この発明にかかるハンマーにあっては、金属製のハンマー主体の分枝部分によって打撃時に柄部分が型枠の型外面側に配されるバタパイプなどに接触することがないようにできると共に、その重量を効果的かつ不具合なく大きくさせることができ、その打撃時に型枠に作用される衝撃力は木槌の場合に比し大きくなることから、打撃回数を減少させることができる。ハンマーヘッドはゴム又はプラスチック製であるので、打撃にあたり型枠を傷つけることがなく、摩耗などしたときは取り替えることができる。
【発明を実施するための最良の形態】
【００１１】
以下、図１ないし図３に基づいて、この発明を実施するための最良の形態について説明する。
【００１２】
なお、ここで図１は、実施の形態にかかるハンマーを、また、図２は、かかるハンマーを構成する各部品を分離させた状態で、それぞれ示している。また、図３は、かかるハンマーによる打撃対象となる型枠Ｗの要部を断面にして示している。
【００１３】
この実施の形態にかかるハンマーは、コンクリートＭの打ち込み型枠Ｗ内に打ち込まれたコンクリートＭをこの型枠Ｗ内に行き渡らせるために、この打ち込みの過程において型枠Ｗを外側から叩くために用いられるものである。
【００１４】
かかるハンマーは、ハンマー主体１と、ハンマーヘッド２とを備えている。
【００１５】
ハンマー主体１は、金属によって構成されている。また、かかるハンマー主体１は、柄部分１０と、この柄部分１０の先端部１０ａからこの柄部分１０に対し略直交する向きに延びる分枝部分１１とを備えている。
【００１６】
図示の例では、柄部分１０は、太棒体１０ｂによって構成されている。典型的には、直径２ｃｍ前後で長さ４０ｃｍ前後の断面を円形とする金属棒によって、かかる柄部分１０を構成させる。図示の例では、この柄部分１０の基部からこの柄部分１０の長さ方向略中程の位置までがグリップ部１０ｃとされ、このグリップ部１０ｃにおいては太棒体１０ｂの外周部が軟質材１０ｄで覆われている。この軟質材１０ｄによって型枠Ｗを打撃した際の衝撃がそのまま使用者に伝わることがないようになっている。
【００１７】
また、図示の例では、短寸の連結棒体１０ｅの長さ方向略中央に形成されためくら穴１０ｆに前記太棒体１０ｂの一端を入れ込ませた状態で、この連結棒体１０ｅと太棒体１０ｂとを溶接させることにより、柄部分１０の先端部１０ａを構成させている。
【００１８】
一方、分枝部分１１は、細棒体１１ａによって構成されている。典型的には、直径１ｃｍ前後で長さ１５ｃｍ前後の断面を円形とする金属棒によって、かかる分枝部分１１を構成させる。図示の例では、連結棒体１０ｅの一端部に形成されためくら穴１０ｇにこの細棒体１１ａの一端を入れ込ませた状態で、この連結棒体１０ｅと細棒体１１ａとを溶接させることにより、柄部分１０と分枝部分１１とを一体化させてハンマー主体１を構成させている。
【００１９】
図示の例では、かかる細棒体１１ａの他端部、つまり、分枝部分１１の先端部の外周に、雄ねじ部１１ｂが形成されている。また、この雄ねじ部１１ｂにはナット１１ｃがねじ付けられていると共に、このナット１１ｃから先の細棒体１１ａの他端部にはリング１１ｄが通されている。
【００２０】
ハンマーヘッド２は、かかるハンマー主体１の分枝部分１１の先端部に取り外し可能に取り付けられるものであり、ゴム又はプラスチックによって構成されている。
【００２１】
図示の例では、かかるハンマーヘッド２は円柱状をなすように構成されている。これとは別に、かかるハンマーヘッド２は例えば四角柱などの多角柱状をなすように構成させておくこともできる。
【００２２】
かかるハンマーヘッド２には、その一端面の略中央に穴口を開設させるようにして雌ねじ穴２０が形成されており、分枝部分１１の先端部に形成された雄ねじ部１１ｂをこの雌ねじ穴２０に入れ込み、ハンマーヘッド２の前記一端面が前記リング１１ｄを介して前記ナット１１ｃに突き当たる位置までねじ付けることにより、ハンマー主体１にハンマーヘッド２を取り外し可能に取り付けることができるようになっている。このように取り付けられたハンマーヘッド２の他端面が打撃面２１となる。
【００２３】
そして、この実施の形態にあっては、前記ハンマー主体１の分枝部分１１によって、かかるハンマーヘッド２の打撃面２１と柄部分１０との間に、コンクリート型枠Ｗの打撃時にコンクリート型枠Ｗの型外面側に配されるバタパイプＷａなどに柄部分１０を接触させることのない間隔ｘが形成されるようになっている。
【００２４】
かかる間隔は、典型的には、２０ｃｍ前後に設定させる。また、ハンマー全体の重量は、典型的には、７００ｇ〜１ｋｇに設定される。
【００２５】
型枠Ｗの型外面側には、バタパイプＷａや桟木ＷｂやフォームタイＷｃなどが配されるが、（図３）この実施の形態にかかるハンマーにあっては前記分枝部分１１によってハンマーヘッド２の打撃面２１と柄部分１０との間に前記間隔ｘが形成されることから、ハンマーヘッド２を型枠Ｗの型外面、典型的には型枠パネルＷｄの外面に叩きつける打撃操作にあたり柄部分１０がバタパイプＷａなどに接触することがなく、この叩きつけを円滑に行うことができる。
【００２６】
また、ハンマー主体１は金属製であることから、ハンマーの重量を効果的に大きくさせることができ、打撃時の衝撃力を十分に確保することができる。これにより、型枠Ｗの打撃回数を木槌の場合に比し減らしても型枠Ｗ内にコンクリートＭを行き渡らせることが可能とされる。
【００２７】
その反面、ハンマーヘッド２自体はゴム又はプラスチック製であることから、ハンマーを過度に重くすることがないと共に、打撃にあたり型枠Ｗを傷つけることがない。また、打撃面２１が摩耗などした場合には、ハンマーヘッド２をハンマー主体１から取り外し新規のハンマーヘッド２と交換することで所期の状態のハンマーとすることができ、ランニングコストは低廉とされる。
【図面の簡単な説明】
【００２８】
【図１】ハンマーの斜視図
【図２】同分解斜視図
【図３】型枠Ｗの要部断面図
【図４】従来のハンマーの斜視図
【符号の説明】
【００２９】
１  ハンマー主体
１０  柄部分
１０ａ  先端部
１１  分枝部分
２  ハンマーヘッド
２１  打撃面
Ｗ  型枠
Ｗａ  バタパイプ
Ｍ  コンクリート
【図１】
2006130571.tif 000003
【図２】
2006130571.tif 000004
【図３】
2006130571.tif 000005
【図４】
2006130571.tif 000006